(57)【要約】【課題】構造が簡単でありながら、ツル性植物のメンテナンスを容易且つ安全に行うことができ、狭小地や隣地境界近くに設置した場合でも、メンテナンスに支障をきたすことのないパーゴラを提供する。【解決手段】このパーゴラ１は、躯体２に、格子状の側面材３及び格子状の天面材４を取り付けたものであって、側面材３には、その格子目１３・・よりも大きい腕貫通用開口部５・・が形成され、天面材４には、その格子目１３・・よりも大きい上半身貫通用開口部７、８・・が形成されている。【選択図】図１
2009167624.tif 000002
【特許請求の範囲】
【請求項１】
躯体（２）に、格子状の側面材（３）及び格子状の天面材（４）を取り付けたパーゴラ（１）であって、前記側面材（３）には、その格子目（１３）・・よりも大きい腕貫通用開口部（５）・・が形成され、前記天面材（４）には、その格子目（１３）・・よりも大きい上半身貫通用開口部（７）（８）・・が形成されていることを特徴とするパーゴラ。
【請求項２】
前記腕貫通用開口部（５）・・及び上半身貫通用開口部（７）（８）・・は、略円形状とされている請求項１記載のパーゴラ。
【請求項３】
複数の前記腕貫通用開口部（５）・・が、前記側面材（３）の略全面に亘って分散配置され、複数の前記上半身貫通用開口部（７）（８）・・が、前記天面材（４）の略全面に亘って分散配置されている請求項１又は２記載のパーゴラ。
【請求項４】
前記側面材（３）には、子供や動物等が通り抜けるための通り抜け用開口部（６）が形成されている請求項１乃至３のいずれかに記載のパーゴラ。
【請求項５】
前記躯体（２）は、支柱（２１）・・と梁（２２）・・を組み付けてなり、これら支柱（２１）・・及び梁（２２）・・は、対向配置された一対のプレート（２３）（２３）間に跨って、複数の棒材（２４）・・を互いに間隔をあけて略平行に取り付けてなる請求項１乃至４のいずれかに記載のパーゴラ。
【発明の詳細な説明】
【技術分野】
【０００１】
この発明は、例えば建物のテラスやバルコニー等に設置されて、ツル性植物を絡ませて育成、観賞するためのパーゴラに関する。
【背景技術】
【０００２】
従来より、テラスやバルコニー等のような住宅の開口部に連続する空間にパーゴラを設置して、このパーゴラにツル性植物を絡ませながら育成することが行われている。これにより、テラスやバルコニー等を緑化して癒し空間とすることができ、また夏場においては、植物が直射日光を遮るとともに、蒸散作用によって周辺を冷却することで、涼を取ることができる。さらに、街並みの景観向上やヒートアイランド現象の緩和にも寄与することになる。
【０００３】
この種のパーゴラとしては、支柱及び梁により構成される躯体に、格子状の側面材や天面材を取り付けた構造のものが一般的に知られており、これら側面材や天面材の格子目を利用してツル性植物を絡ませながら育成するようになっている。                          
【０００４】
しかしながら、従来のパーゴラにおいては、ツル性植物の手入れや日常の管理等のメンテナンスに際しての十分な配慮がなされていなかった。すなわち、パーゴラの側面部分及び天面部分において、ツル性植物を絡ませたり、葉の剪定や果実の収穫といったメンテナンスを行う場合、パーゴラの内側又は外側の一方からだけではきめ細かな作業が困難なため、例えば内側からの作業を終えた後に外側に回り込んでの作業が必要となり、作業性が悪かった。しかも、天面部分においては、内側からの作業では梯子や脚立等に登った状態で上方を見上げるような無理な作業姿勢を強いられ、また外側からの作業ではパーゴラの外周部分に梯子や脚立等を安定して設置するためのスペースを確保する必要があった。
【０００５】
このように、従来のパーゴラでは、ツル性植物のメンテナンスを容易且つ安全に行うことができず、特にパーゴラを狭小地や隣地境界近くに設置した場合には、外側に回り込んでの作業が困難で、メンテナンスに支障をきたすといった不具合があった。
【０００６】
一方、例えば特許文献１に開示されているように、天面材を開閉可能としたパーゴラも提案されている。このようなパーゴラでは、天面材を開放して天面部分に大きな開口部を確保し、その開口部から天面材の上側へ上半身を乗り出すことで、天面部分のメンテナンスに際しては、無理な作業姿勢を強いられることなく、パーゴラの内側に居ながら外側からの作業も行うことができる。
【０００７】
【特許文献１】特開２００６−１６７６２号公報
【発明の開示】
【発明が解決しようとする課題】
【０００８】
しかしながら、上記の特許文献１に開示されているようなパーゴラでは、天面材を開閉するための特別な機能が必要となり、構造が複雑で、製造費も高くなるといった不具合があった。しかも、側面部分におけるメンテナンスに際しては、依然として外側に回り込んでの作業が必要となって作業性が悪く、パーゴラを狭小地や隣地境界近くに設置した場合には、メンテナンスに支障をきたすといった不具合があった。
【０００９】
そこで、上記問題点を解決するために、構造が簡単でありながら、ツル性植物のメンテナンスを容易且つ安全に行うことができ、狭小地や隣地境界近くに設置した場合でも、メンテナンスに支障をきたすことのないパーゴラを提供することを目的とする。
【課題を解決するための手段】
【００１０】
上記課題を解決するため、この発明のパーゴラは、躯体２に、格子状の側面材３及び格子状の天面材４を取り付けたものであって、前記側面材３には、その格子目１３・・よりも大きい腕貫通用開口部５・・が形成され、前記天面材４には、その格子目１３・・よりも大きい上半身貫通用開口部７、８・・が形成されていることを特徴とする。
【００１１】
具体的に、前記腕貫通用開口部５・・及び上半身貫通用開口部７、８・・は、略円形状とされている。
【００１２】
また、複数の前記腕貫通用開口部５・・が、前記側面材３の略全面に亘って分散配置され、複数の前記上半身貫通用開口部７、８・・が、前記天面材４の略全面に亘って分散配置されている。
【００１３】
さらに、前記側面材４には、子供や動物等が通り抜けるための通り抜け用開口部６が形成されている。
【００１４】
また、前記躯体２は、支柱２１・・と梁２２・・を組み付けてなり、これら支柱２１・・と梁２２・・は、対向配置された一対のプレート２３、２３間に跨って、複数の棒材２４・・を互いに間隔をあけて略平行に取り付けてなる。
【発明の効果】
【００１５】
この発明のパーゴラにおいては、格子状の側面材に腕貫通用開口部が形成されているので、パーゴラの内側から腕貫通用開口部を介して腕を外側へ出すことができ、しかも格子状の天面材に上半身貫通用開口部が形成されているので、パーゴラの内側から上半身貫通用開口部を介して上半身を外側すなわち天面材の上側へ乗り出すことができる。これにより、パーゴラの側面部分及び天面部分において、ツル性植物を絡ませたり、葉の剪定や果実の収穫といったメンテナンスを行う場合、パーゴラの外側に回り込むことなく、パーゴラの内側に居ながら外側からもきめ細かな作業を行うことが可能となり、メンテナンスを容易に、しかも良好に行うことができる。しかも、天面部分におけるメンテナンスに際して、上方を見上げるような無理な作業姿勢を強いられることなく、メンテナンスを安全に行うことができる。さらに、パーゴラの外側に回り込んだり、パーゴラの外周部分に梯子や脚立等の設置スペースを確保する必要がないため、パーゴラを狭小地や隣地境界近くに設置しても、メンテナンスに支障をきたすことがない。
【００１６】
また、格子状の側面材や天面材に対して、略円形状の腕貫通用開口部や上半身貫通用開口部を形成することで、腕貫通用開口部や上半身貫通用開口部が視覚的にインパクトを与え、パーゴラのデザイン性の向上を図ることができるとともに、これら腕貫通用開口部や上半身貫通用開口部に挿通させた腕や体の向きをスムーズに変えることができ、作業性の向上を図ることもできる。
【００１７】
さらに、複数の腕貫通用開口部を側面材の略全面に亘って分散配置するとともに、複数の上半身貫通用開口部を天面材の略全面に亘って分散配置することで、ツル性植物のメンテナンスを側面部分及び天面部分の全面に亘って良好に行うことができる。
【００１８】
さらにまた、子供や動物等が通り抜けるための通り抜け用開口部を側面材に形成することで、パーゴラにおいて子供や動物等を遊ばせることができ、機能性の向上を図ることができる。
【００１９】
また、躯体の支柱及び梁を、対向配置された一対のプレート間に跨って複数の棒材を互いに間隔をあけて取り付けた構造としているので、例えばパイプ状の支柱や梁を使用するときと比べて、棒材間の間隙を介して見通しが良好になり、また各棒材にもツル性植物を絡ませることができ、しかもパーゴラ全体の軽量化を図ることも可能になる。
【発明を実施するための最良の形態】
【００２０】
以下、この発明の実施形態を図面に基づいて詳細に説明する。この発明の一実施形態に係るパーゴラ１は、図１に示すように、例えば４本の支柱２１・・の上端部間に跨って、４本の梁２２・・を方形枠状に組み付けてなる躯体２を備えている。この躯体２は、４つの側面開口部と１つの天面開口部を有している。各側面開口部は、隣接する２本の支柱２１、２１と、これら支柱２１、２１の上端部に跨る１本の梁２２とによって囲まれ、天面開口部は、４本の梁２２・・によって囲まれている。
【００２１】
支柱２１・・及び梁２２・・は、図２に示すように、対向配置された一対のプレート２３、２３の四隅部間に跨って４本の棒材である角棒２４・・を互いに間隔をあけて略平行に取り付けることによって構成されている。なお、梁２２においては、角棒２４・・を３本或いは２本としても良い。
【００２２】
そして、上記の躯体２における一つの側面開口部には、側面材３が支柱２１、２１及び梁２２に固定された状態で取り付けられ、天面開口部には、天面材４が梁２２・・に固定された状態で取り付けられている。なお、側面材３は、一つの側面開口部に取り付けるだけに限らず、対向する２つの側面開口部或いは直交する２つの側面開口部に取り付けるようにしたり、３つの側面開口部に取り付けるようにしても良い。
【００２３】
側面材３は、図１及び図３に示すように、複数の縦線材１１・・と複数の横線材１２・・とを互いに直交するように格子状に組み付けてなる。この側面材３の各格子目１３・・は、略正方形状とされており、その大きさは例えば約１０ｃｍ×１０ｃｍとされている。
【００２４】
そして、この格子状の側面材３には、例えば８つの腕貫通用開口部５・・が形成されており、これら腕貫通用開口部５・・は、側面材３の略全面に亘って分散配置されている。各腕貫通用開口部５・・は、略円形状とされ、その大きさは側面材３の１つの格子目１３よりも大きく、例えば直径約２０ｃｍとされている。また、各腕貫通用開口部５・・には、円環状の枠材１４が取り付けられていて、貫通させた腕が縦横の線材１１、１２・・に引っ掛かって傷付くことがないように保護している。なお、腕貫通用開口部５・・の個数や配置は、上記に限定されるものではない。
【００２５】
また、側面材３の下端部略中央には、子供や動物等が通り抜けるための通り抜け用開口部６が形成されている。この通り抜け用開口部６は、下方開放の逆Ｕ字状とされ、その大きさは、例えば高さ約６０ｃｍ、横幅約６０ｃｍとされている。また、この通り抜け用開口部６には、逆Ｕ字状の枠材１５が取り付けられていて、通り抜ける子供や動物等が縦横の線材１１、１２・・に引っ掛かって傷付くことがないように保護している。
【００２６】
天面材４は、図１及び図４に示すように、側面材３と同様に、複数の縦線材１１・・と複数の横線材１２・・とを互いに直交するように格子状に組み付けてなる。この天面材４の各格子目１３・・は、略正方形状とされており、その大きさは例えば約１０ｃｍ×１０ｃｍとされている。
【００２７】
そして、この格子状の天面材４には、例えば３つの第１の上半身貫通用開口部７・・と、２つの第２の上半身貫通用開口部８、８が形成されており、これら第１及び第２の上半身貫通用開口部７、８・・は、天面材４の略全面に亘って分散配置されている。
【００２８】
各第１の上半身貫通用開口部７・・は、略円形状とされ、その大きさは天面材４の１つの格子目１３よりも大きく、例えば直径約６０ｃｍとされている。これら３つの第１の上半身貫通用開口部７・・は、天面材４の一方の対角線上に沿って互いに間隔をあけて配置されている。
【００２９】
各第２の上半身貫通用開口部８、８は、略円形状とされ、その大きさは天面材４の１つの格子目１３よりも大きく、例えば直径約４０ｃｍとされている。これら２つの第２の上半身貫通用開口部８、８は、天面材４の他方の対角線上に沿って中央の第１の上半身貫通用開口部７を挟むようにして配置されている。
【００３０】
また、第１及び第２の上半身貫通用開口部７、８・・には、円環状の枠材１６が取り付けられていて、貫通させた上半身が縦横の線材１１、１２・・に引っ掛かって傷付くことがないように保護している。なお、第１及び第２の上半身貫通用開口部７、８・・の個数及び配置は、上記に限定されるものではない。
【００３１】
上記構成のパーゴラ１においては、格子状の側面材３には、腕貫通用開口部５・・が形成されているので、図３に示すように、パーゴラ１の内側から腕貫通用開口部５・・を介して腕を外側へ出すことができる。また、格子状の天面材４には、上半身貫通用開口部７、８・・が形成されているので、図４に示すように、パーゴラ１の内側から上半身貫通用開口部７、８・・を介して上半身を外側すなわち天面材４の上側へ乗り出すことができる。これにより、パーゴラ１の側面部分及び天面部分において、ツル性植物を絡ませたり、葉の剪定や果実の収穫といったメンテナンスを行う場合、パーゴラ１の外側に回り込むことなく、パーゴラ１の内側に居ながら外側からもきめ細かな作業を行うことが可能となり、メンテナンスを容易に、しかも良好に行うことができる。しかも、天面部分におけるメンテナンスに際して、上方を見上げるような無理な作業姿勢を強いられることなく、メンテナンスを安全に行うことができる。さらに、複数の腕貫通用開口部５・・及び複数の上半身貫通用開口部７、８・・が分散配置されているので、ツル性植物のメンテナンスを側面部分及び天面部分の全面に亘って良好に行うことができる。
【００３２】
図５は、パーゴラの施工例を示している。この施工例においては、２つのパーゴラ１、１を横並びに連結して、一方のパーゴラ１の１つの側面開口部３１及び他方のパーゴラ１の側面材３を切り欠いた開口部３２が出入口とされている。このように、設置場所や目的に合わせて、パーゴラを適宜組み合わせることによって、様々なバリエーションの展開を図ることができる。
【００３３】
この発明は、上記実施形態に限定されるものではなく、この発明の範囲内で多くの修正及び変更を加え得ることは勿論である。
【図面の簡単な説明】
【００３４】
【図１】この発明の一実施形態に係るパーゴラの斜視図である。
【図２】躯体の部分拡大斜視図である。
【図３】パーゴラの側面部分における作業状態を示す図である。
【図４】パーゴラの天面部分における作業状態を示す図である。
【図５】パーゴラの施工例を示す斜視図である。
【符号の説明】
【００３５】
１・・パーゴラ、２・・躯体、３・・側面材、４・・天面材、５・・腕貫通用開口部、６・・通り抜け用開口部、７、８・・上半身貫通用開口部、１３・・格子目、２１・・支柱、２２・・梁、２３・・プレート、２４・・棒材
【図１】
2009167624.tif 000003
【図２】
2009167624.tif 000004
【図３】
2009167624.tif 000005
【図４】
2009167624.tif 000006
【図５】
2009167624.tif 000007